(57)【要約】本発明は水中油系で適当な両親媒性化合物を提供する。該両親媒性化合物は、ａ）約２０個またはそれ以上の炭素原子を含む炭化水素基である親油性成分；ｂ）以下から選択される親水性成分：ｉ）２個またはそれ以上の炭素原子を含むオキシアルキレン基のモノマーまたはオリゴマー；ｉｉ）３個またはそれ以上の炭素原子を含むオキシアルキレン基のモノマーまたはオリゴマー；ｉｉｉ）以下を含むオリゴマー：１）３個またはそれ以上の炭素原子を含むオキシアルキレン基；２）２個またはそれ以上の炭素原子を含むオキシアルキレン基であり、但し、成分２）は成分１）とは異なる；ｉｖ）ヒドロカルビル置換ヒドロキシアミン；ｖ）多価アルコール；およびｖｉ）ポリアミンまたは；およびｃ）該親水性成分と該親油性成分とを共有結合するリンカーを含み、該親水性成分は該両親媒性化合物を少なくとも部分的に水に分散するのに十分な量で存在する。【特許請求の範囲】
【請求項１】
以下を含有する、両親媒性化合物：
（ａ）親油性成分であって、ここで、該親油性成分は、約２０個またはそれ以上の炭素原子を含有する炭化水素基である；
（ｂ）親水性成分であって、ここで、該親水性成分は、以下からなる群の少なくとも１つから選択される：
（ｉ）２個またはそれ以上の炭素原子を含有するオキシアルキレン基のモノマーまたはオリゴマー、またはその誘導体；
（ｉｉ）３個またはそれ以上の炭素原子を含有するオキシアルキレン基のモノマーまたはオリゴマー、またはその誘導体；
（ｉｉｉ）以下を含むオリゴマー：
（１）３個またはそれ以上の炭素原子を含有するオキシアルキレン基、またはその誘導体；および
（２）２個またはそれ以上の炭素原子を含有するオキシアルキレン基、またはその誘導体であって、但し、成分（２）は、成分（１）とは異なる；
（ｉｖ）ヒドロキシアミノ基またはその誘導体；
（ｖ）多価アルコールまたはその誘導体；および
（ｖｉ）ポリアミンまたはその誘導体；および
（ｃ）該親水性成分と該親油性成分とを共有結合するリンカーであって、ここで、該親水性成分は、該両親媒性化合物を少なくとも部分的に水に分散するのに十分な量で、存在している、
化合物。
【請求項２】
前記親油性成分が、約３０個またはそれ以上の炭素原子を含有する炭化水素基である、請求項１に記載の両親媒性化合物。
【請求項３】
前記親油性成分が、ポリオレフィンである、請求項１に記載の両親媒性化合物。
【請求項４】
前記ポリオレフィンが、ポリイソブチレンまたはその混合物である、請求項３に記載の両親媒性化合物。
【請求項５】
前記ポリイソブチレンの数平均分子量が、少なくとも約２５０である、請求項４に記載の両親媒性化合物。
【請求項６】
前記両親媒性化合物を部分的に水に分散させる量が、２５℃で水に分散された該両親媒性化合物の約０．０１重量％に等しいかそれより多くされ得る、請求項１に記載の両親媒性化合物。
【請求項７】
前記両親媒性化合物を部分的に水に分散させる量が、２５℃で水に分散された該両親媒性化合物の約０．３重量％に等しいかそれより多くされ得る、請求項１に記載の両親媒性化合物。
【請求項８】
前記両親媒性化合物が、約８またはそれ以上のＨＬＢを有する、請求項１に記載の両親媒性化合物。
【請求項９】
前記親水性成分が、さらに、他の極性部分を含む、請求項１に記載の両親媒性化合物。
【請求項１０】
前記極性部分が、アルコール、非イオン性アミン、カチオン性第一級アミン、カチオン性第二級アミン、カチオン性第三級アミン、四級アミン、アミド、イミド、アルカノールアミン、サルコシネート、スルホスクシネート、タウレート、スルホネート、サルフェート、アミンオキシド、ポリ（オキシアルキレン）化合物、エトキシレート、ケトン、カルボキシレート、アルデヒド、グリセロールエステル、エステル、２−アクリロミドメチルプロパンスルホン酸、２−メタクリロミドメチルプロパンスルホン酸、イミダゾリン、ホスフェート、ホスホネート、ボレート、ボラン、シリケート、モノグリセリド、ジグリセリド、リン酸エステル、プロポキシル化酸、ソルビタン、スクロースエステル、カルボキシレート塩、ハロゲン化物、含酸素ハロゲン化物、ナイトレート、ナイトライト、ニトロソ化合物、ニトラミン、ニトロ化合物、スルフィド、スルフィット、チオール、含酸素イオウ、アジド、およびそれらの混合物からなる群から選択される、請求項９に記載の両親媒性化合物。
【請求項１１】
前記極性部分が、２−アクリロミドメチルプロパンスルホン酸、
エトキシレート、カチオン性第一級アミン、非イオン性アミン、ビス（２−アミノプロピル）エーテル−エチレンオキシド−プロピレンオキシド共重合体、ホスフェート、サルフェート、スルホネート、カルボキシレート、およびそれらの混合物からなる群から選択される、請求項１０に記載の両親媒性化合物。
【請求項１２】
前記親水性成分と前記親油性成分とを共有結合するリンカーが、α，β−オレフィン性不飽和カルボン酸またはその反応性等価物である、請求項１に記載の両親媒性化合物。
【請求項１３】
前記α，β−オレフィン性不飽和カルボン酸またはその反応性等価物が、ジカルボン酸の誘導体またはその混合物である、請求項１２に記載の両親媒性化合物。
【請求項１４】
前記ジカルボン酸が、無水マレイン酸またはその混合物である、請求項１３に記載の両親媒性化合物。
【請求項１５】
前記ジカルボン酸の誘導体が、イミド、アミド、半アミド、エステル、半エステル、金属塩、半金属塩、およびそれらの混合物からなる群から選択される、請求項１３に記載の両親媒性化合物。
【請求項１６】
両親媒性化合物を調製する方法であって、該方法は、以下を反応させる工程を包含する：
（ａ）親油性反応物であって、該親油性反応物は、該両親媒性化合物の約６〜約９４重量パーセントの範囲で存在している；
（ｂ）親水性反応物であって、該親水性反応物は、該両親媒性化合物の約６〜約９３．９重量パーセントの範囲で存在している；
（ｃ）該親水性成分と該親油性成分とを共有結合するリンカー反応物であって、該リンカー反応物は、該両親媒性化合物の約０．１〜約３０重量パーセントの範囲で存在しており、
ここで、該親油性反応物は、約２０個またはそれ以上の炭素原子を含有する炭化水素基である；該親水性反応物は、以下からなる群の少なくとも１つから選択される：（ｉ）２個またはそれ以上の炭素原子を含有するオキシアルキレン基のモノマーまたはオリゴマー、またはその誘導体；（ｉｉ）３個またはそれ以上の炭素原子を含有するオキシアルキレン基のモノマーまたはオリゴマー、またはその誘導体；（ｉｉｉ）以下を含むオリゴマー：（１）３個またはそれ以上の炭素原子を含有するオキシアルキレン基、またはその誘導体；および（２）２個またはそれ以上の炭素原子を含有するオキシアルキレン基、またはその誘導体であって、但し、成分（２）は、成分（１）とは異なる；（ｉｖ）ヒドロキシアミノ基またはその誘導体；（ｖ）多価アルコールまたはその誘導体；および（ｖｉ）ポリアミンまたはその誘導体；ここで、該親水性反応物は、該両親媒性化合物を少なくとも部分的に水に分散するのに十分な量で、存在している、
方法。
【請求項１７】
さらに、溶媒を加える工程を包含する、請求項１６に記載の方法。
【請求項１８】
さらに、前記両親媒性化合物を乾燥する工程を包含する、請求項１６に記載の方法。
【請求項１９】
乾燥が、減圧下にて実行される、請求項１６に記載の方法。
【請求項２０】
前記両親媒性化合物を部分的に水に分散させる量が、２５℃で水に分散された該両親媒性化合物の約０．０１重量％に等しいかそれより多い、請求項１６に記載の方法。
【発明の詳細な説明】
【技術分野】
【０００１】
本発明は、親油性成分；親水性成分；およびリンカーを含有する水中油形乳濁液に適当な乳化剤に関する。本発明は、さらに、水中油形乳化剤を製造する方法、および工業用途でのその使用に関する。
【背景技術】
【０００２】
多くの種類の乳化剤が当該技術分野で公知であり、また、多くの乳濁液系（例えば、油中水形技術または水中油形技術）で使用され、これらは、ＭｃＣｕｔｃｈｅｏｎ’ｓ  Ｅｍｕｌｓｉｆｉｅｒｓ  ａｎｄ  Ｄｅｔｅｒｇｅｎｔｓ，１９９３，Ｎｏｒｔｈ  Ａｍｅｒｉｃａｎ  ＆  Ｉｎｔｅｒｎａｔｉｏｎａｌ  Ｅｄｉｔｉｏｎおよび／または「Ｅｍｕｌｓｉｏｎｓ  Ｔｈｅｏｒｙ  ａｎｄ  Ｐｒａｃｔｉｃｅ」（Ｐ．Ｂｅｃｈｅｒが執筆し、そしてＯｘｆｏｒｄ  Ｕｎｉｖｅｒｓｉｔｙ  Ｐｒｅｓｓ，２００１により出版された）で開示されている。典型的には、油中水形界面活性剤は、典型的には、約８未満の低い親水性：親油性バランス（以下、「ＨＬＢ」と呼ぶ）を有する傾向にある。逆に、水中油形乳化剤は、約８以上の高いＨＬＢを有する傾向にある。
【０００３】
油中水形または水中油形乳化剤の親油性成分は、約２０個以下の炭素原子を含有する傾向にある。水中油形乳化剤中の親油性成分の長さを約２０個未満の炭素原子まで大きくすることにより、乳濁液の安定性が低下することが知られている。
【０００４】
ポリイソブチレンスクシンイミドまたはポリイソブチレン無水コハク酸ベースの乳化剤は、周知であり、そして良好な分散性、安定性、洗浄性などを与えるために、油中水形乳濁液または潤滑油で広く使用されている。しかしながら、そのポリイソブチレン（すなわち、約２０個以上の炭素原子を含有する）の親油性という性質が原因で、これらの乳化剤を水中油形用途に使用することは困難である。
【０００５】
国際公開ＷＯ  ０３／０２９３０９  Ａ２は、水中油形用途で使用するポリイソブチレンベースの親水性乳化剤を開示している。この乳化剤は、以下から出来ている：（ａ）親油性部分であって、これは、３００と１０，０００の間の分子量を有するポリイソブチレンから誘導される；（ｂ）親水性部分であって、これは、ポリエチレンオキシド鎖を含む；および（ｃ）リンカーであって、これは、多塩基性カルボン酸（例えば、無水マレイン酸）から誘導される。
【０００６】
欧州特許出願ＥＰ  ０  １５６  ５７２  Ａ２は、以下から誘導された界面活性剤を開示している：（ａ）疎水性成分および（ｂ）共に共有結合された親水性成分。この親水性成分は、さらに、以下から選択されるアニオン性基を含有する：ホスフェート、ホスホネート、サルフェート、スルホネートおよびカルボキシメチル。この疎水性成分は、２個〜６個の炭素原子を含有するモノオレフィンの重合体から誘導され、典型的には、４００〜５０００の範囲の分子量を有する。開示された界面活性剤は、油中水形または水中油形乳濁液で有用であり、そして油相に取り込まれている。しかしながら、これらの界面活性剤は、水中油形乳濁液で使用するとき、無機物質（例えば、塩化マグネシウムまたは塩化カルシウム）が多く溶解した水相で分散しにくい。
【０００７】
米国特許第４，７７６，９６６号は、逆油性（ｉｎｖｅｒｔ  ｏｉｌ−ｂａｓｅｄ）乳濁液の穿孔液組成物を開示しており、これは、ポリカルボン酸および疎水性成分（これは、モノオレフィンおよび無水マレイン酸から誘導された）から生成されたブロックまたはグラフト共重合体を含有する。この無水マレイン酸は、さらに、水酸基またはアミノ基を含有する化合物（例えば、ポリオールまたはポリアミン）と反応できる。しかしながら、この組成物は、乳濁液の安定性のために溶解した無機物質が必要であるので、油中ブライン形乳濁液で使用するのに適当であるにすぎない。
【０００８】
米国特許第４，７０８，７５３号は、油中水形乳濁液を開示しており、これは、乳化剤、コハク酸のモノ−またはジアミン塩、もしくはコハク酸半エステルまたはコハク酸半アミドのモノアミン塩を含有する。これらの半エステルまたは半アミドは、アルカノールアミン、ポリアミン、オリゴアルコールまたはポリオールと、ヒドロカルビル置換無水コハク酸とを反応させることにより、調製される。このヒドロカルビルは、２０個〜５００個の炭素原子を含有する（例えば、ポリイソブチレン）。しかしながら、この乳化剤組成物は、油中水形乳濁液で使用するのに適当であるにすぎない。
【発明の開示】
【発明が解決しようとする課題】
【０００９】
水中油形乳濁液で使用するのに適当な親油性成分を含有する両親媒性化合物があれば、望ましい。本発明は、水中油形乳濁液で使用するのに適当な親油性成分を備えた両親媒性化合物を提供する。
【００１０】
水相で分散できる親油性成分を含有する両親媒性化合物があれば、望ましい。本発明は、水相で分散できる親油性成分を含有する両親媒性化合物を提供する。
【００１１】
約２０個以上の炭素原子を含有する親油性成分を含んでいても、両親媒性化合物に水への分散性または溶解性を与えるのに十分な親水性成分を含有する両親媒性化合物があれば、望ましい。
【００１２】
ブライン安定剤を必要としない保存安定性乳濁液を形成できる親油性成分を含有する両親媒性化合物があれば、望ましい。本発明は、ブライン安定剤を必要としない保存安定性乳濁液を形成できる親油性成分を含有する両親媒性化合物を提供する。
【課題を解決するための手段】
【００１３】
（発明の要旨）
本発明は、以下を含有する両親媒性化合物を提供する：
（ａ）親油性成分であって、ここで、該親油性成分は、約２０個またはそれ以上の炭素原子を含有する炭化水素基である；
（ｂ）親水性成分であって、ここで、該親水性成分は、以下からなる群の少なくとも１つから選択される：
（ｉ）２個またはそれ以上の炭素原子を含有するオキシアルキレン基のモノマーまたはオリゴマー、またはその誘導体；
（ｉｉ）３個またはそれ以上の炭素原子を含有するオキシアルキレン基のモノマーまたはオリゴマー、またはその誘導体；
（ｉｉｉ）以下を含むオリゴマー：
（１）３個またはそれ以上の炭素原子を含有するオキシアルキレン基、またはその誘導体；および
（２）２個またはそれ以上の炭素原子を含有するオキシアルキレン基、またはその誘導体であって、但し、成分（２）は、成分（１）とは異なる；
（ｉｖ）ヒドロキシアミノ基またはその誘導体；
（ｖ）多価アルコールまたはその誘導体；および
（ｖｉ）ポリアミンまたはその誘導体；および
（ｃ）該親水性成分と該親油性成分とを共有結合するリンカーであって、ここで、該親水性成分は、該両親媒性化合物を少なくとも部分的に水に分散するのに十分な量で、存在している。
【００１４】
本発明は、さらに、両親媒性化合物を調製する方法を提供し、該方法は、以下を反応させる工程を包含する：
（ａ）親油性反応物であって、該親油性反応物は、該両親媒性化合物の約６〜約９４重量パーセントの範囲で存在している；
（ｂ）親水性反応物であって、該親水性反応物は、該両親媒性化合物の約６〜約９３．９重量パーセントの範囲で存在している；
（ｃ）該親水性成分と該親油性成分とを共有結合するリンカー反応物であって、該リンカー反応物は、該両親媒性化合物の約０．１〜約３０重量パーセントの範囲で存在しており、
ここで、該親油性反応物は、約２０個またはそれ以上の炭素原子を含有する炭化水素基である；該親水性反応物は、以下からなる群の少なくとも１つから選択される：（ｉ）２個またはそれ以上の炭素原子を含有するオキシアルキレン基のモノマーまたはオリゴマー、またはその誘導体；（ｉｉ）３個またはそれ以上の炭素原子を含有するオキシアルキレン基のモノマーまたはオリゴマー、またはその誘導体；（ｉｉｉ）以下を含むオリゴマー：（１）３個またはそれ以上の炭素原子を含有するオキシアルキレン基、またはその誘導体；および（２）２個またはそれ以上の炭素原子を含有するオキシアルキレン基、またはその誘導体であって、但し、成分（２）は、成分（１）とは異なる；（ｉｖ）ヒドロキシアミノ基またはその誘導体；（ｖ）多価アルコールまたはその誘導体；および（ｖｉ）ポリアミンまたはその誘導体；ここで、該親水性反応物は、該両親媒性化合物を少なくとも部分的に水に分散するのに十分な量で、存在している。
【００１５】
本発明は、さらに、水中油形用途で界面活性剤および／または乳化剤として使用するのに適当な両親媒性化合物を提供する。
【発明を実施するための最良の形態】
【００１６】
（発明の詳細な説明）
本発明は、以下を含有する両親媒性化合物を提供する：
（ａ）親油性成分であって、ここで、該親油性成分は、約２０個またはそれ以上の炭素原子を含有する炭化水素基である；
（ｂ）親水性成分であって、ここで、該親水性成分は、以下からなる群の少なくとも１つから選択される：
（ｉ）２個またはそれ以上の炭素原子を含有するオキシアルキレン基のモノマーまたはオリゴマー、またはその誘導体；
（ｉｉ）３個またはそれ以上の炭素原子を含有するオキシアルキレン基のモノマーまたはオリゴマー、またはその誘導体；
（ｉｉｉ）以下を含むオリゴマー：
（１）３個またはそれ以上の炭素原子を含有するオキシアルキレン基、またはその誘導体；および
（２）２個またはそれ以上の炭素原子を含有するオキシアルキレン基、またはその誘導体であって、但し、成分（２）は、成分（１）とは異なる；
（ｉｖ）ヒドロキシアミノ基またはその誘導体；
（ｖ）多価アルコールまたはその誘導体；および
（ｖｉ）ポリアミンまたはその誘導体；および
（ｃ）該親水性成分と該親油性成分とを共有結合するリンカーであって、ここで、該親水性成分は、該両親媒性化合物を少なくとも部分的に水に分散するのに十分な量で、存在している。
【００１７】
この両親媒性化合物は、少なくとも部分的に、水に分散されている。水相に部分的に分散された両親媒性化合物の量は、２５℃で水に分散された両親媒性化合物の約０．０１重量％に等しいかそれより高く、好ましくは、約０．０５重量％に等しいかそれより高く、さらに好ましくは、約０．１重量％に等しいかそれより高く、さらにより好ましくは、約０．３重量％に等しいかそれより高く、さらにより好ましくは、約０．５重量％に等しいかそれより高く、最も好ましくは、約０．９重量％に等しいかそれより高い。１実施態様では、水に部分的に分散された親油性成分の量は、２５℃での水中の両親媒性化合物の約１重量％〜約１０重量％の範囲である。
【００１８】
本明細書中で使用する「イオン強度」との用語は、各種のイオンのモル濃度にその電荷の平方をかけた数に等しい溶液中のイオンの電荷の効果を表す機能に関する。従って、イオン強度が高くなると、イオンは、より極性となる。それゆえ、親油性成分の長さ、および／または親水性成分の長さ、またはそのイオン強度は、この両親媒性化合物が少なくとも部分的に分散されるように、変えることができる。１実施態様では、親油性成分の分子量は、低くされ、そして親水性成分の分子量は、一定に保たれる。１実施態様では、親水性成分の分子量は、高くされ、そして親油性成分の分子量は、一定に保たれる。１実施態様では、親油性成分の分子量は、低くされ、そして親水性成分の分子量は、高くされる。１実施態様では、親油性成分の分子量は、低くされ、そして親水性成分の分子量は、一定に保たれる。１実施態様では、親水性成分のイオン強度は、高くされ、そして親油性成分の分子量は、一定に保たれる。
【００１９】
この両親媒性化合物は、しばしば、約８に等しいかそれより高いＨＬＢ、好ましくは、約８〜約１００のＨＬＢ、さらに好ましくは、約８〜約６０のＨＬＢ、最も好ましくは、約８〜約４０の範囲のＨＬＢを有する。両親媒性化合物の混合物は、個々の両親媒性化合物のＨＬＢ値が約８〜約１００または約８〜約４０の範囲外であるが、両親媒性化合物の混合物全体がこれらの範囲内であるという条件で、使用され得る。
【００２０】
（親油性成分）
本発明の親油性成分（これは、しばしば、「テイル」と呼ばれている）は、しばしば、約２０個またはそれ以上、好ましくは、約２５個またはそれ以上、さらに好ましくは、約３０個またはそれ以上、さらにより好ましくは、約３５個またはそれ以上、最も好ましくは、約４０個またはそれ以上の炭素原子を含有する炭化水素基である。炭素原子の最大数は、しばしば、約７５０個またはそれ以下、好ましくは、約７２０個またはそれ以下、さらに好ましくは、約６８０個またはそれ以下、最も好ましくは、約４２０個またはそれ以下の炭素原子である。しばしば、この親油性成分は、少なくとも約２５０、好ましくは、少なくとも約３００、最も好ましくは、少なくとも約５００の最低数平均分子量を有する。しばしば、この親油性成分は、約１０，０００に等しいかそれ未満、好ましくは、約８０００に等しいかそれ未満、さらに好ましくは、約５０００に等しいかそれ未満、最も好ましくは、約３０００に等しいかそれ未満の最大数平均分子量を有する。適当な数平均分子量範囲の例には、約２５０〜約１０，０００、好ましくは、約３００〜約１０、０００、さらに好ましくは、約４５０〜約９０００、さらにより好ましくは、約４５０〜約６０００、最も好ましくは、約５５０〜約４７５０が挙げられる。典型的には、この親油性成分分子を作製するのに使用される炭化水素基の約５重量％未満は、約２５０未満の
【００２１】
【数１】
2007525566.tif 000002
を有し、さらに多くの場合、この親油性成分分子を作製するのに使用される炭化水素基は、少なくとも約８００の
【００２２】
【数２】
2007525566.tif 000003
を有する。
【００２３】
この炭化水素基は、好ましくは、ポリオレフィンから誘導される。適当なポリオレフィン化合物の例には、ポリイソブチレン；ポリプロピレン；ポリエチレン；イソブチレンとブタジエンとから誘導された共重合体；イソブテンとイソプレンとから誘導された共重合体；またはそれらの混合物が挙げられる。好ましくは、このポリオレフィンは、ポリイソブチレンまたはその混合物である。この親油性成分は、単独で、または組み合わせて使用できる。
【００２４】
この親油性成分は、この両親媒性化合物の約６〜約９４重量パーセント、好ましくは、約９〜約９１重量パーセント、さらにより好ましくは、約１２〜約８８重量パーセント、最も好ましくは、約１５〜約８５重量パーセントの範囲で、存在している。
【００２５】
（親水性成分）
本発明の親水性成分（これは、しばしば、「ヘッド」と呼ばれている）は、極性であり、そして以下からなる群から選択される少なくとも１種の化合物を含む：
（ｉ）２個またはそれ以上の炭素原子を含有するオキシアルキレン基のモノマーまたはオリゴマー、またはその誘導体；
（ｉｉ）３個またはそれ以上の炭素原子を含有するオキシアルキレン基のモノマーまたはオリゴマー、またはその誘導体；
（ｉｉｉ）以下を含むオリゴマー：
（１）３個またはそれ以上の炭素原子を含有するオキシアルキレン基、またはその誘導体；および
（２）２個またはそれ以上の炭素原子を含有するオキシアルキレン基、またはその誘導体であって、但し、成分（２）は、成分（１）とは異なる；
（ｉｖ）ヒドロキシアミノ基またはその誘導体；
（ｖ）多価アルコールまたはその誘導体；および
（ｖｉ）ポリアミンまたはその誘導体。
【００２６】
この親水性成分の成分（ｉ）は、２個またはそれ以上の炭素原子、典型的には、約７個未満の炭素原子、好ましくは、約５個未満の炭素原子を含有するアルキレンオキシドから誘導されたオキシアルキレン基誘導体を含む。２個またはそれ以上の炭素原子を含有するアルキレンオキシドの適当な例には、エチレンオキシド、プロピレンオキシド、ブチレンオキシド、ペンチレンオキシドまたはそれらの混合物の誘導体が挙げられる。好ましくは、２個またはそれ以上の炭素原子を含有するオキシアルキレン基は、エチレンオキシドまたはそれらの混合物の誘導体である。典型的には、２個またはそれ以上の炭素原子を含有するオキシアルキレン基は、約１個〜約６０個、好ましくは、約２個〜約４５個、さらに好ましくは、約４個〜約３５個、最も好ましくは、約６個〜約３０個の繰り返し単位の数を有する。
【００２７】
この親水性成分の成分（ｉｉ）は、しばしば、３個またはそれ以上の炭素原子、典型的には、約７個未満の炭素原子、好ましくは、約５個未満の炭素原子を含有するオキシアルキレン基を含む。３個またはそれ以上の炭素原子を含有するオキシアルキレン基の適当な例には、プロピレンオキシド、ブチレンオキシド、ペンチレンオキシドまたはそれらの混合物の誘導体が挙げられる。好ましくは、３個またはそれ以上の炭素原子を含有するオキシアルキレン基には、プロピレンオキシドまたはそれらの混合物の誘導体が挙げられる。典型的には、３個またはそれ以上の炭素原子を含有するオキシアルキレン基は、約１個〜約６０個、好ましくは、約２個〜約４５個、さらに好ましくは、約４個〜約３５個、最も好ましくは、約６個〜約３０個の繰り返し単位の数を有する。
【００２８】
この親水性成分の成分（ｉｉｉ）は、以下を含むオリゴマーを含有する：（１）３個またはそれ以上の炭素原子を含有するオキシアルキレン基；（２）２個またはそれ以上の炭素原子を含有するオキシアルキレン基であって、但し、成分（２）は、成分（１）とは異なる。成分（１）は、上述の３個またはそれ以上の炭素原子を含有するオキシアルキレン基と同様に定義される。成分（２）は、上述の２個またはそれ以上の炭素原子を含有するオキシアルキレン基と同様に定義される。成分（１）および成分（２）で存在している炭素原子数の差は、しばしば、５個まで、好ましくは、３個まで、最も好ましくは、１個の炭素原子である。
【００２９】
成分（１）および成分（２）の適当なオリゴマーの例には、エチレンオキシド−プロピレンオキシド、エチレンオキシド−ブチレンオキシド、エチレンオキシド−ペンチレンオキシド、エチレンオキシド−ヘプチレンオキシド、プロピレンオキシド−ブチレンオキシド、プロピレンオキシド−ペンチレンオキシド、プロピレンオキシド−ヘプチレンオキシドまたはそれらの混合物のオリゴマーが挙げられる。好ましくは、成分（１）および成分（２）のオリゴマーには、エチレンオキシド−プロピレンオキシド、エチレンオキシド−ブチレンオキシド、エチレンオキシド−ペンチレンオキシドまたはそれらの混合物が挙げられる。好ましくは、成分（１）および成分（２）のオリゴマーは、エチレンオキシド−プロピレンオキシドまたはそれらの混合物である。
【００３０】
この親水性成分の成分（ｉｖ）は、ヒドロキシアミノ基である。しばしば、このヒドロキシアミノ基は、１個〜約１０個、好ましくは、１個〜約８個、さらに好ましくは、約２個〜約６個、最も好ましくは、約２個〜約６個の水酸基を含有する。
【００３１】
このヒドロキシアミノ基は、しばしば、１個〜約８個、さらに好ましくは、１個〜約４個、最も好ましくは、１個〜約２個のアミノ基を含有する。そのアミンには、第一級、第二級または第三級が挙げられるが、第二級または第三級が好ましい。
【００３２】
このヒドロカルビル置換ヒドロキシアミンは、しばしば、１個〜約３０個、好ましくは、約２個〜約２０個、さらに好ましくは、約２個〜約１０個の炭素原子を含有する。１実施態様では、このヒドロカルビル置換ヒドロキシアミンは、４個またはそれ以上の炭素原子と２個またはそれ以上の水酸基とを含有する。
【００３３】
このヒドロキシアミノ基は、しばしば、ヒドロキシルアミンから誘導される。ヒドロキシアミンの適当な例には、エタノールアミン、イソプロパノールアミン、ジエタノールアミン、トリエタノールアミン、ジエチルエタノールアミン、ジメチルエタノールアミン、ジブチルエタノールアミン、３−アミノ−１，２−プロパンジオール；セリノール；２−アミノ−２−メチル−１，３−プロパンジオール；トリス（ヒドロキシメチル）−アミノメタン；Ｎ−メチルグルカミン、１−アミノ−１−デオキシ−Ｄ−ソルビトール；ジエタノールアミン；ジイソプロパノールアミン；Ｎ−メチル−Ｎ，Ｎ−ジエタノールアミン；トリエタノールアミン；Ｎ，Ｎ，Ｎ’，Ｎ’−テトラキス（２−ヒドロキシプロピル）−エチレンジアミン、２−アミノ−２−メチル−１−プロパノール、２−ジメチルアミノ−メチル−１−プロパンジオール、２−アミノ−２−エチル−１，３−プロパンジオール、２−アミノ−２−メチル−１，３−プロパンジオール、２−アミノ−１−ブタノールおよびそれらの混合物が挙げられる。好ましくは、このヒドロキシアミンは、Ｎ−メチルグルカミンまたはそれらの混合物である。
【００３４】
この親水性成分の成分（ｖ）は、多価アルコール（これはまた、しばしば、ポリオールとも呼ばれる）から誘導される。この多価アルコールは、グリコール、非グリコールおよびそれらの混合物からなる群から選択される。この多価アルコールは、しばしば、脂肪族、環状脂肪族、芳香族または複素環である。この多価アルコールは、脂肪族−置換環状脂肪族アルコール、脂肪族−置換芳香族アルコール、脂肪族−置換複素環アルコール、環状脂肪族−置換脂肪族アルコール、環状脂肪族−置換芳香族アルコール、環状脂肪族−置換複素環アルコール、複素環−置換脂肪族アルコール、複素環−置換環状脂肪族アルコール、複素環−置換芳香族アルコールおよびそれらの混合物からなる群から選択される。
【００３５】
この多価アルコールは、約２個〜約１０個、好ましくは、約２個〜約６個の水酸基を含有する。典型的には、非グリコール多価アルコールは、約４０個以下、好ましくは、約２０個以下、最も好ましくは、約３個〜約１５個の炭素原子を含有する。グリコールから誘導したアルコールは、約１５０個までのオキシアルキレン基を含有し、そのオキシアルキレン基ラジカルは、約２個〜約８個、さらに好ましくは、約２個〜約５個の炭素原子を含有する。
【００３６】
この多価アルコールがグリコールであるとき、グリコールの適当な例には、エチレングリコール、プロピレングリコール、ブチレングリコール、ペンタエリスリトール、マンニトール、ソルビトール、グリセロール、ジ−グリセロール、トリ−グリセロール、テトラ−グリセロール、エリスリトール、２−ヒドロキシメチル−２−メチル−１，３−プロパンジオール（トリメチロールエタン）、２−エチル−２−（ヒドロキシメチル）−１，３−プロパンジオール−（トリメチロールプロパン）、１，２，４−ヘキサントリルおよびそれらの混合物が挙げられる。
【００３７】
この多価アルコールが非グリコールであるとき、適当な例には、ジヒドロキシプロパン、ジヒドロキシブタン、ジヒドロキシペンタン、グリセリン、トリヒドロキシプロパン、トリヒドロキシブタン、トリヒドロキシペンタン、グリセロール、エリスリトール、２−ヒドロキシメチル−２−メチル−１，３−プロパンジオール（トリメチロールエタン）、２−エチル−２−（ヒドロキシメチル）−１，３−プロパンジオール（トリメチロールプロパン）、１，２，４−ヘキサントリオールおよびそれらの混合物が挙げられる。
【００３８】
この親水性成分の成分（ｖｉ）は、ポリアミンから誘導される。このポリアミンは、直鎖または分枝であり得、そしてアルキレンポリアミン、環状脂肪族ポリアミン、複素環ポリアミンおよびそれらの混合物からなる群から選択される。
【００３９】
１実施態様では、このアルキレンポリアミンは、エチレンポリアミン、プロピレンポリアミン、ブチレンポリアミンおよびそれらの混合物からなる群から選択される。プロピレンポリアミンの例には、プロピレンジアミン、ジプロピレントリアミンまたはそれらの混合物が挙げられる。エチレンポリアミンが好ましく、具体例には、エチレンジアミン、ジエチレントリアミン、トリエチレンテトラミン、テトラエチレンペンタミン、ペンタエチレンヘキサミン、ポリアミンスティルボトムス、重質アミン（例えば、Ｕｎｉｏｎ  Ｃａｒｂｉｄｅ製のＨＰＡ−ＸＴＭ、Ｄｏｗ製のＥ−１００ＴＭ）およびそれらの混合物が挙げられる。
【００４０】
１実施態様では、このポリアミンは、α，β−ジアミノアルカンである。適当なα，β−ジアミノアルカンには、ジアミノプロパン、ジアミノブタンまたはそれらの混合物が挙げられる。特定のジアミノアルカンは、Ｎ−（２−アミノエチル）−１，３−プロパンジアミン、３，３’−ジアミン−Ｎ−メチルジプロピルアミン、トリス（２−アミノエチル）アミン、Ｎ，Ｎ−ビス（３−アミノプロピル）−１，３−プロパンジアミン、Ｎ，Ｎ’−１，２−エタンジイルビス−（１，３−プロパンジアミン）およびそれらの混合物からなる群から選択される。
【００４１】
本発明は、この親水性成分の誘導体を含む。しばしば、これらの誘導体は、他の極性部分を含む。この極性部分の適当な例は、アルコール、非イオン性アミン、カチオン性第一級アミン、カチオン性第二級アミン、カチオン性第三級アミン、四級アミン、アミド、イミド、アルカノールアミン、サルコシネート、スルホスクシネート、タウレート、スルホネート、サルフェート、アミンオキシド、ポリ（オキシアルキレン）化合物（アルキレンオキシド繰り返し単位を含むブロック共重合体（例えば、ＰｌｕｒｏｎｉｃＴＭ）；ビス（２−アミノプロピル）エーテル−エチレンオキシド−プロピレンオキシド共重合体（これは、Ｊｅｆｆａｍｉｎｅ  ＥＤ  ２００３ＴＭ（またはＸＴＪ−５０２ＴＭ）、Ｊｅｆｆａｍｉｎｅ  Ｍ−１０００ＴＭ（またはＸＴＬ−５０６ＴＭ）として、市販されている）を含めて）、エトキシレート（例えば、エトキシル化アルコール；エトキシル化アミン；エトキシル化アミド；エトキシル化脂肪酸；エトキシル化酸；エトキシル化フェノール；エトキシル化エステル）、ケトン、カルボキシレート、アルデヒド、グリセロールエステル、エステル、２−アクリロミドメチルプロパンスルホン酸、２−メタクリロミドメチルプロパンスルホン酸、イミダゾリン、ホスフェート、ホスホネート、ボレート、ボラン、シリケート、モノグリセリド、ジグリセリド、リン酸エステル、プロポキシル化酸、ソルビタン、スクロースエステル、カルボキシレート塩、ハロゲン化物、含酸素ハロゲン化物、ナイトレート、ナイトライト、ニトロソ化合物、ニトラミン、ニトロ化合物、スルフィド、スルフィット、チオール、含酸素イオウ、アジド、およびそれらの混合物からなる群から選択される。
【００４２】
好ましくは、この極性部分は、非イオン性アミン、カチオン性第一級アミン、Ｎ−メチルグルカミン、ポリ（オキシアルキレン）化合物、２−アクリルアミドメチルプロパンスルホン酸、２−メタクリロミドメチルプロパンスルホン酸、スルホネート、サルフェート、エトキシレート、ビス（２−アミノプロピル）エーテル−エチレンオキシド−プロピレンオキシド共重合体、ホスホネート、カルボキシレートおよびそれらの混合物からなる群から選択される。
【００４３】
この極性部分がアンモニウムまたは金属対イオンを必要とするとき、その金属の適当な例には、リチウム、ナトリウム、カリウム、マグネシウム、カルシウムまたはそれらの混合物が挙げられる。好ましくは、この金属対イオンは、ナトリウムまたはそれらの混合物である。
【００４４】
この親水性成分は、この両親媒性化合物の約６〜約９３．９重量パーセント、好ましくは、約９〜約９０．９重量パーセント、さらにより好ましくは、約１２〜約８７．９重量パーセント、最も好ましくは、約１５〜約８４．９重量パーセントの範囲で、存在している。この親水性成分は、単独で、または組み合わせて使用できる。
【００４５】
（リンカー）
本発明は、さらに、この親水性成分と親油性成分とを共有結合するリンカーを含む。本発明の１実施態様では、このリンカーは、この親水性成分と親油性成分との間の直接の共有結合（例えば、Ｃ−Ｑであり、ここで、Ｃは、炭素原子であり、そしてＱは、Ｃ、Ｎ、Ｏ、ＰまたはＳであり、好ましくは、Ｃは、親油性成分から誘導され、そしてＱは、親水性成分から誘導される）である。ＱがＣであるとき、このリンカーは、Ｃ−Ｃ結合であり、これは、飽和または不飽和である。
【００４６】
本発明の１実施態様では、このリンカーは、α，β−オレフィン性不飽和カルボン酸またはその反応性等価物から誘導され、そして一塩基性または多塩基性のいずれかの性質であり得る。一塩基カルボン酸には、次式で表わされるものが挙げられる：
【００４７】
【化１】
2007525566.tif 000004
ここで、Ｒ１は、水素またはヒドロカルビル（これは、１個〜２０個、好ましくは、１個〜１０個、さらに好ましくは、１個〜５個、最も好ましくは、１個〜２個の炭素原子を含有する）である；そしてＲ２およびＲ３は、同一または異なり得、そして別個に、水素またはアルキル（これは、１個〜６個、好ましくは、１個〜４個、最も好ましくは、１個〜２個の炭素原子を有する）である。好ましくは、Ｒ２およびＲ３の少なくとも１つは、水素であり、最も好ましくは、Ｒ２およびＲ３の両方は、水素である。
【００４８】
一塩基カルボン酸には、（メタ）アクリル酸、ケイ皮酸、クロトン酸、３−フェニルプロペン酸、α，β−デセン酸、グリオキシル酸およびそれらの混合物が挙げられる。（「（メタ）アクリル酸」との表現は、アクリル酸およびメタクリル酸の両方を含むことが意図される）。
【００４９】
多塩基カルボン酸は、好ましくは、ジカルボン酸であるが、トリ−カルボン酸およひせテトラ−カルボン酸は、使用できる。適当な多塩基酸の例には、マレイン酸、フマル酸、メサコン酸、イタコン酸、シトラコン酸またはそれらの混合物が挙げられる。
【００５０】
一塩基または多塩基のカルボン酸の反応性等価物には、無水物、ヘミアセタール、エステル、アシル化窒素、ハロゲン化アシル、ニトリル、金属塩またはそれらの混合物が挙げられる。これらのうちでは、無水物、特に、二酸の無水物が好ましい。１実施態様では、二塩基カルボン酸の誘導体は、無水マレイン酸である。、二塩基カルボン酸の誘導体は、イミド、アミド、半アミド、エステル、半エステル、金属塩、半金属塩およびそれらの混合物からなる群から選択される。
【００５１】
本発明の１実施態様では、このリンカーは、アルキルフェノールまたはその誘導体であり、そして次式により表わされる：
【００５２】
【化２】
2007525566.tif 000005
ここで、Ｒ４は、親油性成分であり、そしてＧは、ヒドロカルビル基またはそれらの混合物である。Ｇは、存在しているとき、全ての位置で位置できるか、または別個に、水酸基に対して、２位置、３位置、５位置または６位置で位置できるものの、２位置または６位置が好ましい。ｖは、０、１、２、３または４の値を有する整数である。好ましくは、ｖは、０、１または２の値であり、最も好ましくは、１である。１実施態様では、ｖは、０であり、そして他の実施態様では、ｖは、１である。
【００５３】
１実施態様では、このリンカーは、公知の清浄剤から誘導され、これらには、フェネート、スルホネート、サリゲニン、サリキサレートまたはそれらの混合物が挙げられる。これらの清浄剤は、オーバーベース（ｏｖｅｒｂａｓｅｄ）であってもなくてもよい。フェネートは、架橋基を含み得るか、または非架橋であり得る。架橋基には、イオウ原子、または共に結合された多数のイオウ原子、アルキレン基（特に、メチレンカップリングした）またはそれらの混合物が挙げられる。
【００５４】
本発明の１実施態様では、このリンカーは、１，２，４−トリアゾールまたはベンゾトリアゾール、ベンゾイミダゾール、２−アルキルジチオベンゾイミダゾール、２−（Ｎ，Ｎ−ジアルキルジチオカルバモイル）ベンゾチアゾール、２，５−ビス（アルキル−ジチオ）−１，３，４−チアジアゾール、２，５−ビス（Ｎ，Ｎ−ジアルキルジチオカルバモイル）−１，３，４−チアジアゾール、２−アルキルジチオ−５−メルカプトチアジアゾール、２−アルキルジチオベンゾチアゾール、またはそれらの混合物により、代表される。１実施態様では、このリンカーは、１，２，４−トリアゾールの誘導体またはそれらの混合物である。１実施態様では、この任意のリンカーは、ベンゾトリアゾールの誘導体またはそれらの混合物である。１実施態様では、この任意の誘導体は、２，５−ビス（アルキル−ジチオ）−１，３，４−チアジアゾールまたはそれらの混合物である。
【００５５】
適当なベンゾトリアゾールの例には、４−メチルベンゾトリアゾール、５−メチルベンゾトリアゾール、４−エチルベンゾトリアゾール、５−エチルベンゾトリアゾール、４−プロピルベンゾトリアゾール、５−プロピルベンゾトリアゾール、Ｎ，Ｎ−ビス（ヘプチル）−ａｒ−メチル−１Ｈ−ベンゾトリアゾール−１−メタンアミン、Ｎ，Ｎ−ビス（ノニル）−ａｒ−メチル−１Ｈ−ベンゾトリアゾール−１−メタンアミン、Ｎ，Ｎ−ビス（デシル）−ａｒ−メチル−１Ｈ−ベンゾトリアゾール−１−メタンアミン、Ｎ，Ｎ−ビス（ウンデシル）−ａｒ−メチル−１Ｈ−ベンゾトリアゾール−１−メタンアミン、Ｎ，Ｎ−ビス（ドデシル）−ａｒ−メチル−１Ｈ−ベンゾトリアゾール−１−メタンアミン、Ｎ，Ｎ−ビス（２−エチルヘキシル）−ａｒ−メチル−１Ｈ−ベンゾトリアゾール−１−メタンアミンおよびそれらの混合物が挙げられる。好ましくは、適当なベンゾトリアゾールの例は、４−メチルベンゾトリアゾール、５−メチルベンゾトリアゾールおよびそれらの混合物からなる群から選択される。
【００５６】
適当な２，５−ビス（アルキル−ジチオ）−１，３，４−チアジアゾールの例には、２，５−ビス（第三級オクチルジチオ）−１，３，４−チアジアゾール、２，５−ビス（第三級ノニルジチオ）−１，３，４−チアジアゾール、２，５−ビス（第三級デシルジチオ）−１，３，４−チアジアゾール、２，５−ビス（第三級ウンデシルジチオ）−１，３，４−チアジアゾール、２，５−ビス（第三級ドデシルジチオ）−１，３，４−チアジアゾール、２，５−ビス（第三級トリデシルジチオ）−１，３，４−チアジアゾール、２，５−ビス（第三級テトラデシルジチオ）−１，３，４−チアジアゾール、２，５−ビス（第三級ペンタデシルジチオ）−１，３，４−チアジアゾール、２，５−ビス（第三級ヘキサデシルジチオ）−１，３，４−チアジアゾール、２，５−ビス（第三級ヘプタデシルジチオ）−１，３，４−チアジアゾール、２，５−ビス（第三級オクタデシルジチオ）−１，３，４−チアジアゾール、２，５−ビス（第三級ノナデシルジチオ）−１，３，４−チアジアゾール、２，５−ビス（第三級エイコシルジチオ）−１，３，４−チアジアゾールおよびそれらの混合物が挙げられる。好ましくは、適当な２，５−ビス（アルキル−ジチオ）−１，３，４−チアジアゾールの例には、２，５−ビス（第三級ノニルジチオ）−１，３，４−チアジアゾールまたはそれらの混合物が挙げられる。
【００５７】
このリンカーは、両親媒性化合物の約０．１〜約３０重量パーセント、好ましくは、約０．１〜約２５重量パーセント、さらにより好ましくは、約０．１〜約２０重量パーセント、最も好ましくは、約０．１〜約１５重量パーセントの範囲で、存在している。
【００５８】
（方法）
本発明は、さらに、両親媒性化合物を調製する方法を提供し、該方法は、以下を反応させる工程を包含する：
（ａ）親油性反応物であって、該親油性反応物は、該両親媒性化合物の約６〜約９４重量パーセントの範囲で存在している；
（ｂ）親水性反応物であって、該親水性反応物は、該両親媒性化合物の約６〜約９３．９重量パーセントの範囲で存在している；
（ｃ）該親水性成分と該親油性成分とを共有結合するリンカー反応物であって、該リンカー反応物は、該両親媒性化合物の約０．１〜約３０重量パーセントの範囲で存在しており、
ここで、該親油性反応物は、約２０個またはそれ以上の炭素原子を含有する炭化水素基である；該親水性反応物は、以下からなる群の少なくとも１つから選択される：（ｉ）２個またはそれ以上の炭素原子を含有するオキシアルキレン基のモノマーまたはオリゴマー、またはその誘導体；（ｉｉ）３個またはそれ以上の炭素原子を含有するオキシアルキレン基のモノマーまたはオリゴマー、またはその誘導体；（ｉｉｉ）以下を含むオリゴマー：（１）３個またはそれ以上の炭素原子を含有するオキシアルキレン基、またはその誘導体；および（２）２個またはそれ以上の炭素原子を含有するオキシアルキレン基、またはその誘導体であって、但し、成分（２）は、成分（１）とは異なる；（ｉｖ）ヒドロキシアミノ基またはその誘導体；（ｖ）多価アルコールまたはその誘導体；および（ｖｉ）ポリアミンまたはその誘導体；ここで、該親水性反応物は、該両親媒性化合物を少なくとも部分的に水に分散するのに十分な量で、存在している。
【００５９】
本発明の両親媒性化合物は、親油性成分、親水性成分およびリンカーを含有し、これらは、それぞれ、親油性反応物、親水性反応物およびリンカー反応物から誘導される。
【００６０】
反応物（ａ）、（ｂ）および（ｃ）は、しばしば、単一部分、複数部分またはそれらの混合で加えられる。好ましくは、反応物（ａ）および（ｃ）は、単一部分で加えられる；そして反応物（ｂ）は、複数部分で加えられる。複数部分は、約２回またはそれ以上の添加、好ましくは、約３回またはそれ以上の添加、最も好ましくは、約４回またはそれ以上の添加を伴う。各部分は、ほぼ同じ重量、異なり重量、またはそれらの混合である。好ましくは、１個より多い部分が加えられるとき、各部分は、ほぼ同じ重量である。
【００６１】
必要に応じて、この方法は、（ａ）、（ｂ）および（ｃ）を反応させる前または反応中に溶媒を加える工程を包含するが、好ましくは、この溶媒は、反応前に加えられる。適当な溶媒の例には、トルエンまたはキシレン、鉱油、水、Ｃ１〜Ｃ２０一価アルコール、Ｃ１〜Ｃ２０二価アルコール、Ｃ１〜Ｃ２０三価アルコール、カルボン酸エステル（例えば、酢酸エチル）、エーテルまたはそれらの混合物が挙げられる。あるいは、この溶媒は、炭化水素溶媒または鉱油と組み合わせて、Ｃ１〜Ｃ４一価アルコール（例えば、メタノール）を含む。好ましくは、この溶媒は、トルエンまたはそれらの混合物である。
【００６２】
反応物（ａ）、（ｂ）および（ｃ）を反応させる温度は、約２５℃〜約２５０℃、好ましくは、約３５℃〜２００℃、最も好ましくは、約４０℃〜約１７５℃の範囲である。１実施態様では、この温度範囲は、約４５℃〜約６５℃である。１実施態様では、この温度範囲は、約１２０℃〜約１５０℃である。
【００６３】
反応物（ａ）、（ｂ）および（ｃ）を反応させる温度は、約３０秒間〜約２４時間、好ましくは、約１分間〜約２０時間、最も好ましくは、約２分間〜約１５時間の範囲の時間で、保持される。１実施態様では、この混合物は、約５分間保持される。１実施態様では、この混合物は、約７分間保持される。１実施態様では、この混合物は、約１０分間保持される。１実施態様では、この混合物は、約１５分間保持される。１実施態様では、この混合物は、約２０分間保持される。１実施態様では、この混合物は、約３０分間保持される。１実施態様では、この混合物は、約１．５時間保持される。１実施態様では、この混合物は、約５時間保持される。１実施態様では、この混合物は、約７時間保持される。
【００６４】
反応物（ａ）、（ｂ）および（ｃ）を反応させるのに使用される圧力は、約９３．３ｋＰａ〜約２６６．７ｋＰａ（約７００ｍｍＨｇ〜約２０００ｍｍＨｇ）、好ましくは、約１００ｋＰａ〜約１３３．３ｋＰａ（約７５０ｍｍＨｇ〜約１０００ｍｍＨｇ）、最も好ましくは、約１０３ｋＰａ〜約１２０ｋＰａ（約７７５ｍｍＨｇ〜約９００ｍｍＨｇ）の範囲である。
【００６５】
必要に応じて、この方法は、さらに、好ましくは、減圧中で、さらに好ましくは、減圧オーブンにて、（ａ）、（ｂ）および（ｃ）を反応させることにより形成された両親媒性化合物を乾燥する工程を包含する。
【００６６】
この減圧オーブンは、存在するとき、約７ｋＰａ〜約１０２ｋＰａ（約５０ｍｍＨｇ〜約７６５ｍｍＨｇ）、好ましくは、約１３ｋＰａ〜約９６ｋＰａ（約１００ｍｍＨｇ〜約７２０ｍｍＨｇ）、最も好ましくは、約２８ｋＰａ〜約９２ｋＰａ（約２１０ｍｍＨｇ〜約６９０ｍｍＨｇ）の範囲の圧力を有する。この減圧オーブンは、しばしば、約２５℃〜約１２０℃、好ましくは、約３５℃〜９０℃、最も好ましくは、約４０℃〜約８０ｏＣの範囲の温度を有する。１実施態様では、この温度は、約６０℃である。１実施態様では、この温度は、約６５℃である。本発明の両親媒性化合物は、しばしば、溶媒および／または水分の少なくとも約５０重量％、好ましくは、少なくとも約７０重量％、さらに好ましくは、少なくとも約９０重量％、さらにより好ましくは、少なくとも約９８重量％が除去されるまで、減圧オーブン中に残る。１実施態様では、本発明の両親媒性化合物は、溶媒および／または水分の少なくとも約９９重量％が除去されるまで、減圧オーブン中で乾燥される。１実施態様では、本発明の両親媒性化合物は、実質的に溶媒および／または水分を含まない。
【００６７】
（工業用途）
本発明の両親媒性化合物は、他の非極性液体および／または固体の乳化または分散または他の表面または界面水中油形界面活性剤または乳化剤を湿潤する性能が必要な任意の用途で、有用である。この両親媒性化合物は、ブライン、塩化マグネシウム、硫酸マグネシウム、塩化カルシウム、硫酸カルシウムおよびそれらの混合物からなる群の少なくとも１種から誘導された塩溶液の存在下または非存在下にて、使用され得る。好ましくは、この両親媒性化合物は、塩溶液の存在を要しない。これらの用途には、乳濁液、マイクロ−乳濁液、ナノ−乳濁液、逆性乳濁液、水中油中水形および油中水中油形だけでなく、それらの他の組み合わせが挙げられる。
【００６８】
本発明の両親媒性化合物は、以下からなる群から選択される少なくとも１つの用途で使用できる：油圧作動液、金属加工液、洗浄液、洗剤またはパーソナルケア製品、農業製品（例えば、除草剤または殺虫剤の乳化）、顔料またはスラリーのような固形物の分散、塗料（例えば、水系塗料）の分散、コーティング、アスファルト、輸送用途（例えば、水中油形乳濁液としての重油または原油の輸送）、セメント、粘土用のオルガノフィリックコーティング、汎用格子、インク、発泡抑制剤、医薬品、食品、皮革処理、織物、爆薬、研磨剤および乳化重合。
【００６９】
１実施態様では、本発明の両親媒性化合物は、パーソナルケア製品（ローション、クリームまたは固形物を含めて）で使用できる。これらの製品は、着色されているか無色である。適当なパーソナルケア品目の例には、ヘアケア製品（シャンプー、コンディショナー、染料）またはヘアスタイリング処方物（例えば、ゲル、フォーム、ムース、メーキャップ）または他のスキンケア製品（例えば、口紅、リップグロス、マニキュア液、マスカラ、日焼け止め剤またはモイスチャライザー）が挙げられる。
【００７０】
１実施態では、本発明の両親媒性化合物は、工業用または家庭用の硬質表面洗浄用途で使用する洗浄液で使用できる。例には、食器の洗浄、織物の洗浄、浴槽およびタイル（特に、セラミックタイル）の洗浄、床の洗浄、一般の流し、カウンタ、キャビネット、金属およびガラス製品の洗浄が挙げられる。１実施態様では、本発明の両親媒性化合物は、タイルの洗浄に使用できる。
【００７１】
１実施態様では、本発明の両親媒性化合物は、例えば、洗濯機または手で食器を洗う用途での水性材料の発泡を増やすかまたは減らす。
【００７２】
１実施態様では、この両親媒性化合物は、水性または他の極性液体中にて、液晶または他の構造を作り出すのに役立ち、それにより、溶解性能および／またはレオロジー変性および／または色または光屈性の変性を与える。
【００７３】
以下の実施例は、本発明を例示する。しかしながら、これらの実施例は、全てを網羅するものではなく、本発明の範囲を限定するとは解釈されないことに留意すべきである。
【実施例】
【００７４】
（特定の実施態様）
（実施例１）
１リットル丸底フラスコに、およそ２７６．５ｇのポリイソブチレン無水コハク酸（約１０００  Ｍ．Ｗ．のポリイソブチレン鎖）を加え、そして冷却器を取り付ける。フラスコを約１２０℃まで加熱し、そして撹拌しつつ、約１２．８ｇのＮ−メチルグルカミンを加える。次いで、このフラスコを約１３０℃まで加熱し、そして撹拌しつつ、第二量のＮ−メチルグルカミンを加える（約１２．８ｇ）。約１０分後、第三量のＮ−メチルグルカミンを加える（約１２．８ｇ）。この試料を、１３０℃で、約１０分間保持し、次いで、約４６．８ｇのプロピレングリコールを加える。このフラスコの内容物を、１３０℃で、生成物が形成されるまで、約５時間撹拌する。全般的に、この生成物は、１：１のモル比のポリイソブチレン無水コハク酸：Ｎ−メチルグルカミンを含有する。
【００７５】
（実施例２）
１リットル丸底フラスコに、およそ２５１．３ｇのポリイソブチレン無水コハク酸（約１０００  Ｍ．Ｗ．のポリイソブチレン鎖）を加え、そして冷却器を取り付ける。フラスコを約１５０℃まで加熱し、そして撹拌しつつ、約４６．４ｇのＮ−メチルグルカミンを加える。次いで、このフラスコを約１６０℃まで加熱し、そして撹拌しつつ、第二量のＮ−メチルグルカミンを加える（約１５．５ｇ）。約１０分後、第三量のＮ−メチルグルカミンを加える（約１５．５ｇ）。この試料を約１６５℃まで加熱し、そして約５０．０ｇのプロピレングリコールを加え、続いて、他の量のＮ−メチルグルカミンを加える（約２１．６ｇ）。このフラスコの内容物を、１６５℃で、生成物が形成されるまで、約７時間撹拌する。全般的に、この生成物は、１：２のモル比のポリイソブチレン無水コハク酸：Ｎ−メチルグルカミンを含有する。
【００７６】
（実施例３）
丸底フラスコに、およそ８０．８ｇのビス（２−アミノプロピル）エーテル−エチレンオキシド−プロピレンオキシド共重合体（これは、ＪＥＦＦＡＭＩＮＥ（登録商標）ＥＤ−２００３（またはＸＴＪ−５０２）として、市販されている）を入れ、そして約４８℃まで加熱する。このフラスコに、約１５分間にわたって、約４１．５ｇのポリイソブチレン無水コハク酸（約１０００  Ｍ．Ｗ．のポリイソブチレン鎖）と約４１．７ｇのトルエンとの混合物を加える。その反応物を約６５℃まで加熱し、そして約２０分間保持する。生成物を、減圧下にて、約６０℃で、乾燥するまで、ガラス皿に置く。最終生成物は、琥珀色固形物であり、そしてポリイソブチレン無水コハク酸：ＪＥＦＦＡＭＩＮＥ（登録商標）ＥＤ−２００３のモル比は、約１：１である。
【００７７】
（実施例４）
丸底フラスコに、およそ１４１．９ｇのビス（２−アミノプロピル）エーテル−エチレンオキシド−プロピレンオキシド共重合体（これは、ＪＥＦＦＡＭＩＮＥ（登録商標）ＥＤ−２００３）として、市販されている）を入れ、そして約６５℃まで加熱する。このフラスコに、約７分間にわたって、約７３．７ｇのポリイソブチレン無水コハク酸（約１０００  Ｍ．Ｗ．のポリイソブチレン鎖）と約７５．３ｇのトルエンとの混合物を加える。次いで、このフラスコを約６５℃まで加熱し、約５分間保持し、そして約５．７ｇの５０％水酸化ナトリウム溶液を加える。その反応混合物に、約２８ｇの２−アクリルアミド−２−メチルプロパンスルホン酸ナトリウム（ＡＭＰＳ（登録商標）−Ｎａ；これは、Ｔｈｅ  Ｌｕｂｒｉｚｏｌ  Ｃｏｒｐｏｒａｔｉｏｎから市販されている）を加え、その温度を、約１．５時間にわたって、約１１０℃まで上げる。ディーン・スタークトラップにて、水副生物を集める。生成物を、減圧下にて、約６０℃で、乾燥するまで、ガラス皿に置く。最終生成物は、琥珀色固形物であり、そしてポリイソブチレン無水コハク酸：ＪＥＦＦＡＭＩＮＥ（登録商標）ＥＤ−２００３：水酸化ナトリウム：ＡＭＰＳ（登録商標）−Ｎａのモル比は、約１：１：１：１である。
【００７８】
（実施例５）
フラスコに、およそ１４５ｇのポリエチレングリコール１４５０を加え、そして約８０℃まで加熱する。このフラスコに、約３０分間にわたって、約１００ｇのポリイソブチレン無水コハク酸（約１０００  Ｍ．Ｗ．のポリイソブチレン鎖）を加え、そして温度を約８０℃で保ちつつ、３時間保持する。次いで、その反応混合物を約１１０℃まで加熱し、約４時間保持した後、約８０℃まで冷却し、そして約３時間保持する。この反応混合物に、４つの部分の約１０ｇのアミノプロピルエーテル−エチレンオキシド−プロピレンオキシド共重合体（これは、ＪＥＦＦＡＭＩＮＥ（登録商標）Ｍ−１０００（またはＸＴＪ−５０６）として、市販されている）を加える。ＪＥＦＦＡＭＩＮＥ（登録商標）Ｍ−１０００の４番目の部分を加えた後、その混合物を撹拌し、そして約３００ｇの水を加えた後、周囲温度まで冷却する。１：１：０．４のモル比のポリイソブチレン無水コハク酸（約１０００  Ｍ．Ｗ．のポリイソブチレン鎖）：ポリエチレングリコール１４５０：ＪＥＦＦＡＭＩＮＥ（登録商標）Ｍ−１０００で、透明生成物が得られる。
【００７９】
（実施例６）
フラスコに、およそ１８０ｇのポリエチレングリコール６００を加え、そして約４８℃まで加熱する。このフラスコに、約０．３ｇの酢酸ナトリウムを加え、得られた混合物を、約２時間にわたって、約１２０℃まで加熱し、この間、約１５０ｇのポリイソブチレン無水コハク酸（約１０００  Ｍ．Ｗ．のポリイソブチレン鎖）をゆっくりと加える。その反応混合物を、約１２０℃で、約７．５時間保持した後、約０．７ｇの酢酸ナトリウムの第二添加を行う。この反応混合物を、約１２０℃で、さらに約１３時間保持する。次いで、この反応混合物を約８５℃まで冷却し、そして約３３０ｇの蒸留水を加える。熱プレート上で約３０分間撹拌した後、生成物を得た。
【００８０】
（実施例７）
この実験手順は、約３００ｇの実施例６の生成物をビーカーに注ぎ、そして約３．６ｇの５０％水酸化ナトリウム溶液を加えること以外は、実施例６と同じである。熱プレート上で約３０分間撹拌した後、生成物を得た。
【００８１】
（試験１−洗浄試験）
素焼きのセラミックタイルを、約１０〜１５ｍｍ長のほぼ立方体のブロックに割り、そして土（これは、飽和脂肪（ステアリン酸）および不飽和脂肪（オレイン酸／リノール酸）の組み合わせから構成され、そして水溶性染料を含有する）で被覆する。土と素焼きのセラミックタイルとの混合物を、約２０分ごとに断続的に混合して均一な被覆を確保しつつ、約１時間にわたって、約９０℃まで加熱する。土を付けたセラミックを、連続的なロール混合と共に、室温まで冷却し、そして一晩放置する。およそ２５ｇの土を付けた素焼きのセラミックタイルを秤量して、２５ｇの溶液（これは、実施例１〜７で調製した両親媒性化合物を含有する）と共に、７５ｇガラス容器に入れる。このガラス容器を、リストシェーカーにて、１０分間にわたって、レベル３で振盪する。それらの試料を秤量した後、蒸留水でリンスする。蒸留水でリンスした後、これらの試料を再秤量し、除去された土の割合を計算する。この過程を、１試料あたり３回実行し、２回の結果を平均した結果を得る。実施例１〜７について、除去された土の平均割合は、以下である：
（表１：土除去について得られた結果）
【００８２】
【表１】
2007525566.tif 000006
この試験は、本発明の両親媒性化合物がセラミックタイルを洗浄できることを立証している。
【００８３】
（試験２−残留洗浄性能）
この試験は、土組成物が試験１の最後に洗い落とされた蒸留水を使用すること以外は、試験１と同じ方法を使用して、実行する。実施例１〜７について、除去された土の平均割合は、以下である：
（表２：残留洗浄液からの土除去について得られた結果）
【００８４】
【表２】
2007525566.tif 000007
全般的に、実施例１〜７で使用された乳化剤の全ては、セラミックタイルを洗浄する性能を示す。しかしながら、試験１の最後に洗い落とされた水を使用すると、この水は乳化剤が少なく乳化剤の洗浄性能が低下するので、これらの乳化剤は、試験２では、それ程良好な残留洗浄性能を有しない。
【００８５】
本発明を説明しているものの、それらの種々の変更は、本明細書を読めば、当業者に明らかなことが理解できるはずである。従って、本明細書中で開示の発明は、添付の特許請求の範囲の範囲内に入るこれらの変更を含むべく意図されていることが理解できるはずである。
【手続補正書】
【提出日】平成18年4月25日(2006.4.25)
【手続補正１】
【補正対象書類名】特許請求の範囲
【補正対象項目名】全文
【補正方法】変更
【補正の内容】
【特許請求の範囲】
【請求項１】
以下を含有する、両親媒性化合物：
（ａ）親油性成分であって、ここで、該親油性成分は、約２０個またはそれ以上の炭素原子を含有する炭化水素基である；
（ｂ）親水性成分であって、ここで、該親水性成分は、以下からなる群の少なくとも１つから選択される：
（ｉ）３個またはそれ以上の炭素原子を含有するオキシアルキレン基のモノマーまたはオリゴマー、またはその誘導体；
（ｉｉ）以下を含むオリゴマー：
（１）３個またはそれ以上の炭素原子を含有するオキシアルキレン基、またはその誘導体；および
（２）２個またはそれ以上の炭素原子を含有するオキシアルキレン基、またはその誘導体であって、但し、成分（２）は、成分（１）とは異なる；
（ｉｉｉ）ヒドロキシアミノ基またはその誘導体であって、該ヒドロキシアミノ基が４個またはそれ以上の炭素原子、および２個またはそれ以上のヒドロキシ基を含む、ヒドロキシアミノ基またはその誘導体；
（ｉｖ）多価アルコールまたはその誘導体；および
（ｃ）該親水性成分と該親油性成分とを共有結合するリンカーであって、ここで、該リンカーは、多塩基性カルボン酸または反応性等価物であり；該両親媒性化合物は水中油形の界面活性剤および／または乳化剤であり；そして該親水性成分は、該両親媒性化合物を少なくとも部分的に水に分散するのに十分な量で、存在している、
化合物。
【請求項２】
前記親油性成分が、約３０個またはそれ以上の炭素原子を含有する炭化水素基である、請求項１に記載の両親媒性化合物。
【請求項３】
前記親油性成分が、少なくとも約２５０の数平均分子量を有するポリオレフィンである、請求項１に記載の両親媒性化合物。
【請求項４】
前記両親媒性化合物を部分的に水に分散させる量が、２５℃で水に分散された該両親媒性化合物の約０．３重量％に等しいかそれより多くされ得る、請求項１に記載の両親媒性化合物。
【請求項５】
前記両親媒性化合物が、約８またはそれ以上のＨＬＢを有する、請求項１に記載の両親媒性化合物。
【請求項６】
前記親水性成分が、アルコール、非イオン性アミン、カチオン性第一級アミン、カチオン性第二級アミン、カチオン性第三級アミン、四級アミン、アミド、イミド、アルカノールアミド、サルコシネート、スルホスクシネート、タウレート、スルホネート、サルフェート、アミンオキシド、ポリ（オキシアルキレン）化合物、エトキシレート、ケトン、カルボキシレート、アルデヒド、グリセロールエステル、エステル、２−アクリロミドメチルプロパンスルホン酸、２−メタクリロミドメチルプロパンスルホン酸、イミダゾリン、ホスフェート、ホスホネート、ボレート、ボラン、シリケート、モノグリセリド、ジグリセリド、リン酸エステル、プロポキシル化酸、ソルビタン、スクロースエステル、カルボキシレート塩、ハロゲン化物、含酸素ハロゲン化物、ナイトレート、ナイトライト、ニトロソ化合物、ニトラミン、ニトロ化合物、スルフィド、スルフィット、チオール、含酸素イオウ、アジド、およびそれらの混合物からなる群から選択される他の極性部分をさらに含む、請求項１に記載の両親媒性化合物。
【請求項７】
前記親水性成分と前記親油性成分とを共有結合するリンカーが、α，β−オレフィン性不飽和カルボン酸またはその反応性等価物である、請求項１に記載の両親媒性化合物。
【請求項８】
前記α，β−オレフィン性不飽和カルボン酸またはその反応性等価物が、ジカルボン酸の誘導体またはその混合物である、請求項７に記載の両親媒性化合物。
【請求項９】
両親媒性化合物を調製する方法であって、該方法は、以下を反応させる工程を包含する：
（ａ）親油性反応物であって、該親油性反応物は、該両親媒性化合物の約６〜約９４重量パーセントの範囲で存在している；
（ｂ）親水性反応物であって、該親水性反応物は、該両親媒性化合物の約６〜約９３．９重量パーセントの範囲で存在している；
（ｃ）該親水性成分と該親油性成分とを共有結合するリンカー反応物であって、該リンカー反応物は、該両親媒性化合物の約０．１〜約３０重量パーセントの範囲で存在しており、
ここで、該親油性反応物は、約２０個またはそれ以上の炭素原子を含有する炭化水素基である；該親水性反応物は、以下からなる群の少なくとも１つから選択される：
（ｉ）３個またはそれ以上の炭素原子を含有するオキシアルキレン基のモノマーまたはオリゴマー、またはその誘導体；
（ｉｉ）以下を含むオリゴマー：
（１）３個またはそれ以上の炭素原子を含有するオキシアルキレン基、またはその誘導体；および
（２）２個またはそれ以上の炭素原子を含有するオキシアルキレン基、またはその誘導体であって、但し、成分（２）は、成分（１）とは異なる；
（ｉｉｉ）ヒドロキシアミノ基またはその誘導体であって、該ヒドロキシアミノ基が４個またはそれ以上の炭素原子、および２個またはそれ以上のヒドロキシ基を含む、ヒドロキシアミノ基またはその誘導体；
（ｉｖ）多価アルコールまたはその誘導体；および
（ｃ）該親水性成分と該親油性成分とを共有結合するリンカーであって、ここで、該リンカーは、多塩基性カルボン酸または反応性等価物であり；該両親媒性化合物は水中油形の界面活性剤および／または乳化剤であり；そして該親水性成分は、該両親媒性化合物を少なくとも部分的に水に分散するのに十分な量で、存在している、
方法。
【請求項１０】
前記両親媒性化合物を部分的に水に分散させる量が、２５℃で水に分散された該両親媒性化合物の約０．０１重量％に等しいかそれより多い、請求項９に記載の方法。
【国際調査報告】
2007525566.tif 000008
2007525566.tif 000009